【手続補正書】
【提出日】平成20年7月24日(2008.7.24)
【手続補正１】
【補正対象書類名】明細書
【補正対象項目名】特許請求の範囲
【補正方法】変更
【補正の内容】
【特許請求の範囲】  
【請求項１】
コンテンツ再生装置であって、
広告コンテンツを記憶している広告コンテンツ記憶手段と、
複数の放送番組を受信する受信手段と、
受信された放送番組を再生し、モニタに表示させる第１再生手段と、
放送番組の視聴予約時間帯を示す視聴予約情報を記憶している視聴予約情報記憶手段と、
前記視聴予約情報記憶手段から視聴予約情報を読み出し、読み出した視聴予約情報を参照することにより、現在時刻が視聴予約時間帯の前後の一定期間内に該当するか否かを判定する視聴予約判定手段と、
前記一定期間内に該当すると判定された場合に、前記広告コンテンツ記憶手段から広告コンテンツを読み出し、広告コンテンツを再生し、前記モニタに表示させる第２再生手段と
を備えることを特徴とするコンテンツ再生装置。
【請求項２】
コンテンツ再生装置であって、
広告コンテンツを記憶している広告コンテンツ記憶手段と、
複数の放送番組を受信する受信手段と、
受信された放送番組を再生し、モニタに表示させる第１再生手段と、
放送番組再生中に広告コンテンツが再生されるべきでない放送番組を特定する番組特定手段と、
放送番組が特定された放送番組でない場合に、前記広告コンテンツ記憶手段から広告コンテンツを読み出し、広告コンテンツを再生し、前記モニタに表示させる第２再生手段と
を備えることを特徴とするコンテンツ再生装置。
【請求項３】
前記番組特定手段は、再生中の放送番組の番組属性が特定の番組属性に該当するか否かを判定する番組属性判定手段を有し、
前記番組特定手段は、特定の番組属性に該当すると判定された放送番組を、当該放送番組再生中に広告コンテンツが再生されるべきでない放送番組であると特定する
ことを特徴とする請求項２記載のコンテンツ再生装置。
【請求項４】
前記番組属性判定手段は、予めユーザーによって選択された少なくとも1つ以上の番組属性を記憶している選択属性記憶手段を有する
ことを特徴とする請求項３記載のコンテンツ再生装置。
【請求項５】 
前記番組属性判定手段は、放送番組が有料番組であるか無料番組であるかを示す番組種別情報と放送番組が契約されているか否かを示す契約情報を記憶している番組属性情報記憶手段を有し、
前記番組属性判定手段は、前記番組種別情報と前記契約情報を参照することにより、再生中の放送番組の番組種別と契約の有無を判定し、
前記番組特定手段は、有料番組で契約されていると判定された放送番組を、当該放送番組再生中に広告コンテンツが再生されるべきでない放送番組であると特定する
ことを特徴とする請求項３記載のコンテンツ再生装置。
【請求項６】
前記番組属性判定手段は、放送番組が映像放送であるか、データ放送であるか、音声放送であるかを示す放送種別情報を記憶している番組属性情報記憶手段を有し、
前記番組属性判定手段は、前記放送種別情報を参照することにより、再生中の放送番組の放送種別を判定し、
前記番組特定手段は、放送種別が映像放送であると判定された放送番組を、当該放送番組再生中に広告コンテンツが再生されるべきでない放送番組であると特定する
ことを特徴とする請求項３記載のコンテンツ再生装置。
【請求項７】 
コンテンツ再生装置であって、
広告コンテンツを記憶している広告コンテンツ記憶手段と、
複数の放送番組を受信する受信手段と、
受信された放送番組を再生し、モニタに表示させる第１再生手段と、
放送番組の休止時間帯を示す休止時間帯情報を記憶している休止時間帯情報記憶手段と、
前記放送時間帯情報記憶手段から休止時間帯情報を読み出し、読み出した休止時間帯情報を参照することにより、現在時刻が休止時間帯に該当するか否かを判定する放送休止判定手段と、
休止時間帯に該当すると判定された場合に、前記広告コンテンツ記憶手段から広告コンテンツを読み出し、広告コンテンツを再生し、前記モニタに表示させる第２再生手段と
を備えることを特徴とするコンテンツ再生装置。
【請求項８】 
コンテンツ再生装置であって、
広告コンテンツを記憶している広告コンテンツ記憶手段と、
複数の放送番組を受信する受信手段と、
受信された放送番組を再生し、モニタに表示させる第１再生手段と、
少なくとも１つ以上の特定のユーザー操作指示を記憶している登録操作指示記憶手段と、
ユーザー操作指示を受取る指示受取手段と、
前記登録操作指示記憶手段から前記指示を読み出し、受取られたユーザー操作指示が前記指示に該当するか否かを判定する指示判定手段と、
該当すると判定された場合に、広告コンテンツを再生し、前記モニタに表示させる第２再生手段と
を備えることを特徴とするコンテンツ再生装置。
【請求項９】 
前記第２再生手段はさらに、広告コンテンツを再生する際に前記指示に該当すると判定されたユーザー操作指示の内容に応じて、広告コンテンツの再生表示態様を制御する再生表示態様制御手段を有する
ことを特徴とする請求項８記載のコンテンツ再生装置。
【請求項１０】 
前記コンテンツ再生装置はさらに、前記第２再生手段による広告コンテンツの再生を抑止する抑止手段を備え、
前記抑止手段はさらに、
ユーザーからの広告コンテンツの再生を終了させる旨の終了指示を受取る終了指示受取り手段と、
広告コンテンツを再生する際に前記指示に該当すると判定されたユーザー操作指示の内容に応じて、前記終了指示の受取り可否を判定する指示受取り可否判定手段とを有し、
前記抑止手段は、前記終了指示の受取り可と判定された場合、広告コンテンツの再生を抑止する
ことを特徴とする請求項９記載のコンテンツ再生装置。
【請求項１１】 
前記抑止手段は、再生中の放送番組が、特定の放送番組である場合に、第１再生手段によりその番組が再生されている期間、前記第２再生手段による広告コンテンツの再生を抑止する
ことを特徴とする請求項１０記載のコンテンツ再生装置。
【請求項１２】 
前記抑止手段は、
再生中の放送番組が有料番組であるか否かを判定する番組種別判定手段と、
再生中の放送番組が有料番組である場合に、契約されているか否かを判定する契約有無判定手段を有し、
前記抑止手段は、再生中の放送番組が有料番組で契約されている場合に、広告コンテンツの表示を抑止する
ことを特徴とする請求項１１記載のコンテンツ再生装置。
【請求項１３】
前記コンテンツ再生装置はさらに、前記第２再生手段による広告コンテンツの再生を抑止する抑止手段を備え、
前記抑止手段はさらに、
ユーザーからの広告コンテンツの再生を終了させる旨の終了指示を受取る終了指示受取り手段と、
広告コンテンツを再生する際に前記指示に該当すると判定されたユーザー操作指示の内容に応じて、前記終了指示の受取り可否を判定する指示受取り可否判定手段とを有し、
前記抑止手段は、前記終了指示の受取り可と判定された場合に、広告コンテンツの再生を抑止する
ことを特徴とする請求項８記載のコンテンツ再生装置。
【請求項１４】  
前記抑止手段は、再生中の放送番組が、特定の放送番組である場合に、第１再生手段によりその番組が再生されている期間、前記第２再生手段による広告コンテンツの再生を抑止する
ことを特徴とする請求項１３記載のコンテンツ再生装置。
【請求項１５】 
前記抑止手段は、
再生中の放送番組が有料番組であるか否かを判定する番組種別判定手段と、
再生中の放送番組が有料番組である場合に、契約されているか否かを判定する契約有無判定手段とを有し、
前記抑止手段は、再生中の放送番組が有料番組で契約されている場合に、広告コンテンツの再生を抑止する
ことを特徴とする請求項１４記載のコンテンツ再生装置。
【請求項１６】 
広告コンテンツを記憶している広告コンテンツ記憶手段を備えるコンテンツ再生装置におけるコンテンツ再生方法であって、
複数の放送番組を受信する受信ステップと、
受信された放送番組を再生し、モニタに表示させる第１再生ステップと、
放送番組再生中に広告コンテンツが再生されるべきでない放送番組を特定する番組特定ステップと、
放送番組が特定された放送番組でない場合に、前記広告コンテンツ記憶手段から広告コンテンツを読み出し、広告コンテンツを再生し、前記モニタに表示させる第２再生ステップと
を含むことを特徴とするコンテンツ再生方法。
【請求項１７】
広告コンテンツを記憶している広告コンテンツ記憶手段と、予め登録された少なくとも１つ以上の特定のユーザー操作指示を記憶している登録操作指示記憶手段とを備えるコンテンツ再生装置におけるコンテンツ再生方法であって、
複数の放送番組を受信する受信ステップと、
受信された放送番組を再生し、モニタに表示させる第１再生ステップと、
ユーザー操作指示を受取る指示受取ステップと、
前記登録操作指示記憶手段から前記指示を読み出し、受取られたユーザー操作指示が前記指示に該当するか否かを判定する指示判定ステップと、
該当すると判定された場合に、広告コンテンツを再生し、前記モニタに表示させる第２再生ステップと
を含むことを特徴とするコンテンツ再生方法。
【請求項１８】 
広告コンテンツを記憶している広告コンテンツ記憶手段を備えるコンテンツ再生装置に用いられるプログラムを記録した記録媒体であって、
前記プログラムは、
複数の放送番組を受信する受信ステップと、
受信された放送番組を再生し、モニタに表示させる第１再生ステップと、
放送番組再生中に広告コンテンツが再生されるべきでない放送番組を特定する番組特定ステップと、
放送番組が特定された放送番組でない場合に、前記広告コンテンツ記憶手段から広告コンテンツを読み出し、広告コンテンツを再生し、前記モニタに表示させる第２再生ステップと
を含むことを特徴とするプログラムを記録した記録媒体。
【請求項１９】 
広告コンテンツを記憶している広告コンテンツ記憶手段と、予め登録された少なくとも１つ以上の特定のユーザー操作指示を記憶している登録操作指示記憶手段とを備えるコンテンツ再生装置に用いられるプログラムを記録した記録媒体であって、
前記プログラムは、
複数の放送番組を受信する受信ステップと、
受信された放送番組を再生し、モニタに表示させる第１再生ステップと、
ユーザー操作指示を受取る指示受取ステップと、
前記登録操作指示記憶手段から前記指示を読み出し、受取られたユーザー操作指示が前記指示に該当するか否かを判定する指示判定ステップと、
該当すると判定された場合に、広告コンテンツを再生し、前記モニタに表示させる第２再生ステップと
を含むことを特徴とするプログラムを記録した記録媒体。